(57)【特許請求の範囲】
【請求項１】
遺体の歯槽堤に跨るようにして装着される義歯であって、
歯槽堤に装着された状態において、歯槽頂から口蓋に至る略アーチ形状に形成された口蓋側床と、歯槽堤の唇側側面に沿った略凸弧面状に形成された唇側床とを有し、前記口蓋側床と前記唇側床とが、歯槽頂近傍において接続して断面視略Ｕ字形を形成して成る義歯床と、
前記義歯床の断面視略Ｕ字形の対称軸上の底部近傍から下方に突出して設けられた人工歯と、
を備えてなり、
前記義歯床には、装着時に遺体の残存歯と干渉する部分のみを切り取るための切取部が設けられていることを特徴とする義歯。
【請求項２】
遺体の歯槽堤に跨るようにして装着される義歯であって、
歯槽堤に装着された状態において、歯槽頂から口蓋に至る略アーチ形状に形成された口蓋側床と、歯槽堤の唇側側面に沿った略凸弧面状に形成された唇側床とを有し、前記口蓋側床と前記唇側床とが、歯槽頂近傍において接続して断面視略Ｕ字形を形成して成る義歯床と、
前記義歯床の断面視略Ｕ字形の対称軸上の底部近傍から下方に突出して設けられた人工歯と、
を備えてなり、
前記口蓋側床、前記唇側床及び前記人工歯は、シリコーンゴム、エラストマー又はウレタン樹脂により成形されていることを特徴とする義歯。
【請求項３】
遺体の歯槽堤に跨るようにして装着される義歯であって、
歯槽堤に装着された状態において、歯槽頂から口蓋に至る略アーチ形状に形成された口蓋側床と、歯槽堤の唇側側面に沿った略凸弧面状に形成された唇側床とを有し、前記口蓋側床と前記唇側床とが、歯槽頂近傍において接続して断面視略Ｕ字形を形成して成る義歯床と、
前記義歯床の断面視略Ｕ字形の対称軸上の底部近傍から下方に突出して設けられた人工歯と、
を備えてなり、
前記口蓋側床、前記唇側床及び前記人工歯は、シリコーンゴム、エラストマー又はウレタン樹脂により成形されてなり、
前記人工歯は、上顎中切歯、上顎側切歯及び上顎犬歯からなることを特徴とする義歯。
【発明の詳細な説明】
【技術分野】
【０００１】
本発明は、所謂死に装束の一部として遺体の口腔内に装着されて使用される義歯に関するものである。
【背景技術】
【０００２】
故人の最後の姿は、遺族等にとって元気な頃の顔のままでいさせてあげたいと願うものである。わずかに開いた口の間から白い前歯の先が少し覗いているだけで口元が緩んでも微笑んだ顔になり、遺族等にも喜ばれる。
【０００３】
現在はおよそ５人に１人が義歯（一般的に「入れ歯」と呼ばれているもの）を使用していると言われており、高齢化社会が進むにつれ義歯使用者人口はさらに拡大していくと見込まれている。故人の多くも生前は義歯使用者であり、この義歯は陶器製等の人工歯と人工歯を支持するアクリル樹脂等の化学合成プラスチック製や金属製の義歯床とからなっている。ところが、この義歯を焼却しようとすると、金属は不燃性であり、化学合成プラスチックは高熱を発して焼却炉を痛めるばかりでなく有害ガスを発生させる。このため、義歯を装着していた遺体はそのままでは火葬にすることは好ましくないとされており、遅くとも出棺時までには義歯を取り外す必要があった。しかし、義歯を取り外すことによって頬が萎んで人相が貧相となり、この死者を弔う際に、遺族等は生前とは異なる顔貌の故人を見なければならず、悲痛な思いを増幅させてしまうという問題点があった。
【０００４】
これらの種々の事情から、所謂死に装束の一部としての義歯を遺体に装着し頬が萎んだ状態になるのを防ぎ、火葬する前にその義歯を遺体から取り外すことが行われてきたが、近年になって、人工歯及び義歯床の全てを燃えやすく焼却しても残留物が残らない蝋で製作した義歯が提案された（特許文献１）。この義歯によれば、火葬の際に遺体から義歯を取り外す作業は不要になる。
【先行技術文献】
【特許文献】
【０００５】
【特許文献１】特開２００２−５２０５０号公報
【発明の概要】
【発明が解決しようとする課題】
【０００６】
しかし、死後１時間から３時間程度で顎の周辺から死後硬直が始まる中で、硬質な蝋製の義歯を遺体に装着するのは容易ではなかった。また、遺体に残存歯がある場合は、義歯から残存歯に対応する部分を切り取る作業が必要になるが、このような作業は歯科技工士等の専門家が専用の器具を用いて行うものであり、遺族等の素人が行い得るものではなかった。
【０００７】
本発明は、上記の事情に鑑みてなされたものであり、火葬の際に取り外す必要が無く、義歯を撓ませることにより容易に遺体の口腔内に装着することができると共に、遺族等が容易に必要な加工を行うことができる義歯を提供することを目的とするものである。
【課題を解決するための手段】
【０００８】
本発明は前記課題を解決するためになされたものであり、本発明に係る義歯は、遺体の歯槽堤に跨るようにして装着される義歯であって、歯槽堤に装着された状態において、歯槽頂から口蓋に至る略アーチ形状に形成された口蓋側床と、歯槽堤の唇側側面に沿った略凸弧面状に形成された唇側床とを有し、前記口蓋側床と前記唇側床とが、歯槽頂近傍において接続して断面視略Ｕ字形を形成して成る義歯床と、前記義歯床の断面視略Ｕ字形の対称軸上の底部近傍から下方に突出して設けられた人工歯と、を備えてなり、前記口蓋側床、前記唇側床及び前記人工歯が、指の力で容易に撓ませることができることを特徴とするものである。
【０００９】
また、本発明に係る義歯は、遺体の歯槽堤に跨るようにして装着される義歯であって、歯槽堤に装着された状態において、歯槽頂から口蓋に至る略アーチ形状に形成された口蓋側床と、歯槽堤の唇側側面に沿った略凸弧面状に形成された唇側床とを有し、前記口蓋側床と前記唇側床とが、歯槽頂近傍において接続して断面視略Ｕ字形を形成して成る義歯床と、前記義歯床の断面視略Ｕ字形の対称軸上の底部近傍から下方に突出して設けられた人工歯と、を備えてなり、前記義歯床には、装着時に遺体の残存歯と干渉する部分のみを切り取るための切取部が設けられていることを特徴とするものであっても好ましい。
【００１０】
また、本発明に係る義歯は、遺体の歯槽堤に跨るようにして装着される義歯であって、歯槽堤に装着された状態において、歯槽頂から口蓋に至る略アーチ形状に形成された口蓋側床と、歯槽堤の唇側側面に沿った略凸弧面状に形成された唇側床とを有し、前記口蓋側床と前記唇側床とが、歯槽頂近傍において接続して断面視略Ｕ字形を形成して成る義歯床と、前記義歯床の断面視略Ｕ字形の対称軸上の底部近傍から下方に突出して設けられた人工歯と、を備えてなり、前記口蓋側床、前記唇側床及び前記人工歯は、シリコーンゴム、エラストマー又はウレタン樹脂により成形されていることを特徴とするものであっても好ましい。
【００１１】
また、本発明に係る義歯は、遺体の歯槽堤に跨るようにして装着される義歯であって、歯槽堤に装着された状態において、歯槽頂から口蓋に至る略アーチ形状に形成された口蓋側床と、歯槽堤の唇側側面に沿った略凸弧面状に形成された唇側床とを有し、前記口蓋側床と前記唇側床とが、歯槽頂近傍において接続して断面視略Ｕ字形を形成して成る義歯床と、前記義歯床の断面視略Ｕ字形の対称軸上の底部近傍から下方に突出して設けられた人工歯と、を備えてなり、前記口蓋側床、前記唇側床及び前記人工歯は、シリコーンゴム、エラストマー又はウレタン樹脂により成形されてなり、前記人工歯は、上顎中切歯、上顎側切歯及び上顎犬歯からなることを特徴とするものであっても好ましい。
【発明の効果】
【００１２】
本発明の義歯によれば、火葬の際に取り外す必要が無く、義歯を撓ませることにより容易に遺体の口腔内に装着することができると共に、遺族等が容易に必要な加工を行うことができる義歯を提供することができる。また、製造工程を簡略化でき、製造コストを削減することができる。
【図面の簡単な説明】
【００１３】
【図１】本発明の義歯の使用状態を示した側断面図である。
【図２】本発明の好ましい実施形態による義歯の正面図である。
【図３】図２に示した義歯の背面図である。
【図４】図２に示した義歯の背面斜視図である。
【図５】図２に示した義歯の右側面図である。
【図６】図２に示した義歯のＡ−Ａ断面図である。
【図７】図２に示した義歯から側切歯部分を切り取った状態を示した正面図である。
【図８】本発明の義歯の装着前後の遺体の状態を示した参考図である。
【発明を実施するための形態】
【００１４】
以下、図面を参照して本発明の好ましい実施形態を説明する。
【００１５】
図１〜８は本発明を上顎義歯に適用した例を示し、図１は使用状態を示した側断面図である。図２は正面図であり、図３は背面図であり、図４は背面斜視図であり、図５は右側面図であり、図６は図２のＡ−Ａ断面図である。図７は側切歯部分を切り取った状態を示した正面図である。図８の（ａ）は装着前の遺体の状態を、（ｂ）は装着後の遺体の状態を示した参考図である。
【００１６】
義歯１は、図１に示すように、遺体の歯槽堤１０に跨るようにして装着される義歯であって、断面視略Ｕ字形に形成された義歯床２と、義歯床２の断面視略Ｕ字形の対称軸上の底部２ａ近傍から下方に突出して設けられた人工歯３とから成る。義歯１はシリコーンゴムにより成形されており、指の力で容易に撓ませることができる。義歯１の素材としてはシリコーンゴムのほかエラストマー又はウレタン樹脂を用いることができる。成形方法は、例えば、２色成形などの成形が可能であるが、押出一体成形又は射出一体成形が好適である。
【００１７】
図１〜６に示すように、義歯床２は、歯槽頂１１から口蓋１２に至る略アーチ形状に形成された口蓋側床４と、歯槽堤１０と口唇１３の間に差し込まれ、弧状凹部５０１を挟んで上向き弧状隆起部５０２、５０３を備えている正面視略倒Ｂ字状でやや背面反りに形成された唇側床５とを有し、口蓋側床４と唇側床５とが歯槽頂１１近傍において接続して断面視略Ｕ字形を形成している。唇側床５の差し込み側端縁５ａの中央部に弧状凹部５０１が形成されていることにより、唇側床５を差し込む際に差し込み側端縁５ａが唇小帯（唇と歯茎をつなぎ、前歯の中央部にある「すじ」）と衝突して差し込みの妨げとなることを防止できる。
【００１８】
義歯１は、唇側床５の差し込み側端縁５ａを歯槽堤１０と口唇１３の間に差し込み、口蓋側床４が口蓋１２に当接するまで押し込むことにより遺体の口腔内に装着される。義歯１はシリコーンゴムにより形成されているので、指の力で容易に撓ませることができ、死後硬直が始まった遺体に対しても容易に装着することができる。
【００１９】
義歯床２には、前記断面視略Ｕ字形の対称軸上の底部２ａ近傍に人工歯３が設けられている。人工歯３は、上顎中切歯に相当する人工歯３a、３ｂ、上顎側切歯に相当する人工歯３ｃ、３ｄ及び上顎犬歯に相当する人工歯３ｅ、３ｆの構成から成る。これ以外の構成が排除されるものではないが、口腔内に向かって落ち込んだ口唇を膨らませて元気のある口元を形成するためには上顎前歯に相当する上記６本の人工歯を設ければ足り、これにより製造工程を簡略化でき、製造コストを削減できる。
【００２０】
義歯床２には、装着時に遺体の残存歯と干渉する部分のみを切り取るための切取部４１〜４５、５０、６１〜６５、７０及び８１〜８３が形成されている。図２に示すように、唇側床５の外面（口唇１３に接する面を外面とする）には、人工歯３ａ−３ｂの境界線の延長線上に中央の歯幅切取外面溝４１が形成され、人工歯３ａ−３ｃの境界線の延長線上に左側一列目の歯幅切取外面溝４２が形成され、人工歯３ｂ−３ｄの境界線の延長線上に右側一列目の歯幅切取外面溝４３が形成され、人工歯３ｃ−３ｅの境界線の延長線上に左側二列目の歯幅切取外面溝４４が形成され、人工歯３ｄ−３ｆの境界線の延長線上に右側二列目の歯幅切取外面溝４５が形成されている。中央の歯幅切取外面溝４１は、人工歯３ａ−３ｂの境界付け根部３０１近傍に位置する下端４１ａから前記弧状凹部５０１近傍に位置する上端４１ｂに至るスリット状に形成され、左側一列目の歯幅切取外面溝４２は、人工歯３ａ−３ｃの境界付け根部３０２近傍に位置する下端４２ａから前記弧状隆起部５０２近傍に位置する上端４２ｂに至るスリット状に形成され、右側一列目の歯幅切取外面溝４３は、人工歯３ｂ−３ｄの境界付け根部３０３近傍に位置する下端４３ａから前記弧状隆起部５０３近傍に位置する上端４３ｂに至るスリット状に形成され、左側二列目の歯幅切取外面溝４４は人工歯３ｃ−３ｅの境界付け根部３０４近傍に位置する下端４４ａから前記弧状隆起部５０２近傍に位置する上端４４ｂに至るスリット状に形成され、右側二列目の歯幅切取外面溝４５は人工歯３ｄ−３ｆの境界付け根部３０５近傍に位置する下端４５ａから前記弧状隆起部５０３近傍に位置する上端４５ｂに至るスリット状に形成されている。
【００２１】
図３に示すように、口蓋側床４の内面（口蓋１２に接する面を外面とする）には、前記略断面視Ｕ字形の対称軸上の底部２ａ近傍に、人工歯３の付け根に沿う人工歯付け根線３０に併進する歯底切取溝５０が略円弧状に形成されている。歯底切取溝５０は両側に連繋部４ａ、４ｂを残して口蓋側床４の幅方向（Ｘ）のほぼ全長に渡って形成されている。また、唇側床５の内面には、歯列の隙間にくい込む部分に歯列切取溝６１〜６５が設けられている。中央の歯列切取溝６１は人工歯３ａ−３ｂの境界先端部３１１近傍に位置する下端６１ａから歯底切取溝５０との連結部５０ａ近傍に位置する上端６１ｂに至るスリット状に形成され、左側一列目の歯列切取溝６２は人工歯３ａ−３ｃの境界先端部３１２近傍に位置する下端６２ａから歯底切取溝５０との連結部５０ｂ近傍に位置する上端６２ｂに至るスリット状に形成され、右側一列目の歯列切取溝６３は人工歯３ｂ−３ｄの境界先端部３１３近傍に位置する下端６３ａから歯底切取溝５０との連結部５０ｃ近傍に位置する上端６３ｂに至るスリット状に形成され、左側二列目の歯列切取溝６４は人工歯３ｃ−３ｅの境界先端部３１４近傍に位置する下端６４ａから歯底切取溝５０との連結部５０ｄ近傍に位置する上端６４ｂに至るスリット状に形成され、右側二列目の歯列切取溝６５は人工歯３ｄ−３ｆの境界先端部３１５近傍に位置する下端６５ａから歯底切取溝５０との連結部５０ｅ近傍に位置する上端６５ｂに至るスリット状に形成されている。歯底切取溝５０と歯列切取溝６１〜６５は連結部５０ａ〜５０ｅにおいて互いに連通している。
【００２２】
図４に示すように、口蓋側床４の外面には、内面に形成された歯底切取溝５０に対向して配置された歯肉底切取溝７０が略円弧状に形成されている。歯肉底切取溝７０は両側に連繋部４ｃ、４ｄを残して口蓋側床４の幅方向（Ｘ）のほぼ全長に渡って形成されている。また、唇側床５の内面には、外面に形成された歯幅切取外面溝４１〜４５に対向して配置された歯幅切取内面溝８１〜８５が形成されている。中央の歯幅切取内面溝８１は、歯肉底切取溝７０との連結部７０ａ近傍に位置する下端８１ａから弧状凹部５０１近傍に位置する上端８１ｂに至るスリット状に形成され、左側一列目の歯幅切取内面溝８２は、歯肉底切取溝７０との連結部７０ｂ近傍に位置する下端８２ａから弧状隆起部５０２近傍に位置する上端８２ｂに至るスリット状に形成され、右側一列目の歯幅切取内面溝８３は、歯肉底切取溝７０との連結部７０ｃ近傍に位置する下端８３ａから弧状隆起部５０３近傍に位置する上端８３ｂに至るスリット状に形成され、左側二列目の歯幅切取内面溝８４は、歯肉底切取溝７０との連結部７０ｄ近傍に位置する下端８４ａから弧状隆起部５０２近傍に位置する上端８４ｂに至るスリット状に形成され、右側二列目の歯幅切取内面溝８５は、歯肉底切取溝７０との連結部７０ｅ近傍に位置する下端８５ａから弧状隆起部５０３近傍に位置する上端８５ｂに至るスリット状に形成されている。歯肉底切取溝７０と歯幅切取内面溝８１〜８５は連結部７０ａ〜７０ｅにおいて互いに連通している。
【００２３】
図７は、義歯１から人工歯３ｃとその歯茎部分をなす唇側床５の一部を切り取った状態を示した正面図である。このときに行う作業の一例を図３〜６を参照しながら示すと、以下のとおりである。先ず、歯列切取溝６２を下端６２ａから上端６２ｂに向けて歯底切取溝５０との連結部５０ｂまで切断し、続けて歯列切取溝６４を下端６４ａから上端６４ｂに向けて歯底切取溝５０との連結部５０ｄまで切断する。次に、歯幅切取内面溝８２を上端８２ｂから下端８２ａに向けて歯肉底切取溝７０との連結部７０ｂまで切断し、続けて歯幅切取内面溝８４を上端８４ｂから下端８４ａに向けて歯肉底切取溝７０との連結部７０ｄまで切断する。この段階で、人工歯３ｃとその歯茎部をなす唇側床５の一部は、歯底切取溝５０と歯肉底切取溝７０の両溝の底部と底部の間に形成された薄肉成形部７の連結部５０ｂ−５０ｄの範囲（連結部７０ｂ−７０ｄの範囲）を介してのみ義歯床２と繋がった状態になる。最後に、薄肉成形部７をこの範囲を切断することにより、人工歯３ｂとその歯茎部をなす唇側床５の一部がまとめて義歯床２から分離される。
【００２４】
このように構成することにより、義歯１を遺体の口腔内に装着する際に、残存歯の有無にかかわらず容易に加工して装着できると共に、遺族等が安価にて安らぎ感を得ることができる。また、歯幅切取外面溝４１〜４５と歯幅切取内面溝８１〜８５とが唇側床５の内外面の対向する位置に設けられ、かつ、歯底切取溝５０と歯肉底切取溝７０とが口蓋側床４の内外面の対向する位置に設けられていることにより、これらの相対する溝底間の薄肉成形部を目印に、カッターナイフやハサミ等により綺麗に且つ容易に切り取ることができると共に、指の力で切り取ることも可能であるので、作業性に極めて優れている。また、歯底切取溝５０の両側に連繋部４ａ、４ｂを設け、歯肉底切取溝７０の両側に連繋部４ｃ、４ｄを設けた構成に見られるように、各切取部４１〜４５、５０、６１〜６５、７０及び８１〜８３が義歯床２の外縁端にまで達する構成とはしていない。これにより、切り取り作業時ないし普段の取り扱い時において、不可抗力で義歯床２が切り離されて一部が散逸してしまう事態を防ぐことができる。さらに、義歯１は柔軟性に優れたシリコーンゴム製又はエラストマー製若しくはウレタン樹脂製ゆえに個々人の歯槽堤の形状の違いを吸収できるため、個々人の歯槽堤の形状に合わせて個別に義歯１を製作する必要は無く、所定の形状のみの少品種大量生産が可能である。
【００２５】
義歯１は、実際の色調に合わせて人工歯３は白色に、義歯床２は赤味がかった色に着色すること好ましいが、遺体のわずかに開いた口から視認できるのは人工歯３の先端３ｍｍ程度であることからすれば、人工歯３のみならず義歯床２も含めた全体を天然歯に近似した色に着色しても良い。この場合は製造工程を簡略化でき、製造コストも削減できる。
【００２６】
図８に示すように、本発明の義歯は、遺体の口腔内に装着して萎んだ口唇を膨らませて張りのある口元を形成するためものである。これにより、遺体の顔貌を生前の元気な頃のままの状態で保つことができて遺族等に喜んでもらうことができる。
【符号の説明】
【００２７】
１    義歯
２    義歯床
２ａ  底部
３    人工歯
４    口蓋側床
５    唇側床
５ａ  差し込み側端縁
７    薄肉成形部
１０  歯槽堤
１１  歯槽頂
１２  口蓋
１３  口唇
３０  人工歯付け根線
４１〜４５  歯幅切取外面溝（切取部）
５０  歯底切取溝（切取部）
６１〜６５  歯列切取溝（切取部）
７０  歯肉底切取溝（切取部）
８１〜８５  歯幅切取内面溝（切取部）
５０１  弧状凹部
５０２、５０３  弧状隆起部
【図１】
0006599114.tif 000002
【図２】
0006599114.tif 000003
【図３】
0006599114.tif 000004
【図４】
0006599114.tif 000005
【図５】
0006599114.tif 000006
【図６】
0006599114.tif 000007
【図７】
0006599114.tif 000008
【図８】
0006599114.tif 000009